(57)【要約】      （修正有）【課題】板状体に描かれたキャラクター等の顔を見たとき、正面から見た場合のほか上下左右から見ても見ている者に視線が向いているような印象を与える面白味のある板状商品を提供する。【解決手段】透光性の板状体の表裏の一面に、目を含む顔１が描かれており、同目の部分は、上記板状体を透視可能な目開口部１ａとして残されており、表裏の他面に、上記目開口部から目視可能な白目領域３と該白目領域内に位置させた瞳２とを描いた構造である。【選択図】図３
0003216743.tif 000002
【実用新案登録請求の範囲】
【請求項１】
透光性の板状体の表裏の一面に、目を含む顔が描かれており、同目の部分は、上記板状体を透視可能な目開口部として残されており、表裏の他面に、上記目開口部から目視可能な白目領域と該白目領域内に位置させた瞳とが描かれていることを特徴とする顔が描かれた板状商品。
【請求項２】
板状体の厚みは、顔が描かれた面である正面側の目開口部として残された顔の目の最も長い直径の８分の１から同直径の長さの範囲内とされた請求項１記載の顔が描かれた板状商品。
【請求項３】
白目領域と該白目領域内に位置させた瞳が描かれた面の上塗りとして、全体に１色又は複数の色彩又はこれらの色彩とキャラクターの名称等の文字が描かれている請求項１記載の顔が描かれた板状商品
【考案の詳細な説明】
【技術分野】
【０００１】  本考案はキャラクター・人・動物等の顔が描かれた板状商品に関する。
【背景技術】
【０００２】  キャラクターや人等の顔の全てを板の一面に描いた場合、顔に描かれた瞳及び白目の位置は正面その他の特定の方向を向いているので、どの方向から顔を見た場合でも同一に見える。顔を正面から見たときは正面から見つめられているように見え、上下左右から見たときには見ている者に視線が向いているような錯覚を起こす商品は存在したが、複数の部材からなる煩雑な商品であった。
【先行技術文献】
【０００３】
【特許文献１】実用新案登録第３１６８９１７号公報
【考案の概要】
【考案が解決しようとする課題】
【０００４】本考案は、透光性の板状体の一面と他面を利用するだけで、他の部材を用いることのない簡単で安価な方法で、顔の正面から見た場合だけでなく、顔を上下左右から顔を見た場合でも、見ている者に視線が向いているような印象を与える面白味のある顔が描かれた板状商品を提供することにある。
【課題を解決するための手段】
【０００５】上記課題を解決するため本考案による顔が描かれた板状商品は、透光性の板状体の表裏の一面に、キャラクター・人・動物等の目を含む顔が描かれており、同目の部分は、上記板状体を透視可能な目開口部として残されており、表裏の他面に、上記目開口部から目視可能な白目領域と該白目領域内に位置させた瞳とが描かれていることを特徴とするものである。【０００６】本考案においては、このような印象を与える面白味がある顔が描かれた商品を１枚の透光性の板状体を使用するだけで他の部材を用いることなく、簡単かつ安価に提供することができる。【０００７】  本考案において用いられる透光性の板状体の板の厚みは、顔が描かれた面である正面側の目開口部として残された顔の目の最も長い直径の８分の１から同直径の範囲内とされることが望ましい。【０００８】透光性の板状体の厚さを薄くすると、板の裏面すなわち顔が描かれた面の反対面に描かれた瞳及び白目が正面側の顔の目の区域に近づき目の表面から浅い所に位置することになり、顔を正面側の上下左右の方向から見た場合、視線が見ている者に向いている印象を与えることができない。又、板の厚さを厚くし過ぎると板の裏面側に描かれた瞳が正面側の顔の目の区域から遠くなり過ぎて、顔を正面の上下左右の方向から見た場合瞳が見えなくなり顔からの視線が感じられなくなる。【０００９】本考案において白目領域と該白目領域内に位置させた瞳が描かれた面すなわち裏面側の上塗りとして、全体に１色又は複数の色彩又はこれらの色彩とキャラクターの名称等の文字が描かれることによって、裏面側から見たときに美的感覚が生じ、商品価値が高くなるのでこれらの色彩や文字を描くことが望ましい。
【考案の効果】
【００１０】この構成による顔が描かれた板状商品の作用効果は次のとおりである。この商品は透光性の板状体の表裏の一面に、キャラクター・人・動物等の目を含む顔が描かれており、同目の部分は、上記板状体を透視可能な目開口部として残されており、表裏の他面に、上記目開口部から目視可能な白目領域と該白目領域内に位置させた瞳とが描かれていることを特徴とするもので、これらが描かれている板状体の厚みによって、顔が描かれた面から見たとき、白目及び瞳は透光性の板状体の厚みの奥に位置することになり、顔の正面中央から見ても、上下左右から見ても、描かれた顔の視線は見ている者に向かっているような印象を与える。これは、正面側中央から顔を見た場合、目の部分の中央に瞳が位置して見えるが、正面側の上から見た場合瞳は目の部分の上部に位置して見えることになり、正面側右から顔を見た場合瞳は目の部分の右部に位置して見え、正面側下から見た場合や左から見た場合も同じ原理に基づくことになる。
【図面の簡単な説明】
【００１１】
【図１】は、請求項１の考案による顔が描かれた板状商品の一実施形態における正面側としての面にのみ顔が描かれた状態の平面図である。
【図２】は、請求項１の考案による顔が描かれた板状商品の一実施形態における裏面側としての面の瞳と白目領域が描かれた状態を裏面側から見た状態の平面図である。
【図３】は、請求項１の考案による顔が描かれた板状商品の一実施形態における完成品の顔を正面側左下から見た斜視図である。
【図４】は、請求項１の考案による顔が描かれた板状商品の一実施形態における完成品を正面側から見た様子を示す図である。
【図５】は、請求項１の考案による顔が描かれた板状商品の一実施形態における図１及び図２の両面が描かれた完成品の一部断面図、すなわちＶ−Ｖ断面図を拡大した図である。図中Ａ視は正面中央から見た場合を示し、Ｂ視は正面上から見た場合を示し、Ｃ視は正面下から見た場合を示す。
【考案を実施するための最良の形態】
【００１２】  以下、図面を参照して、請求項１の考案の一実施例を説明する。
図１及び図２、図３において示される符号Ｐは、平面形状をキャラクターの顔の形とした厚さ３ミリメートルの透明のアクリル製板である。この板の縦の長さは約９０ミリメートルで横の長さは約８３ミリメートルである。
図１は、正面側としてキャラクターの顔１が描かれており、その目の部分１ａは透明のアクリル製板を透視可能な状態で目開口部として残されている。この目開口部１ａとして残されているのは、縦約１４ミリメートルで横約１０ミリメートルの楕円形状である。図１は正面側としての面にのみこの顔が描かれた状態の平面図である
図２は、アクリル製板の他面すなわち裏面を見た図である。正面側に描かれるキャラクターの目としての目開口部１ａに相当する区域の中央付近に瞳２が描かれており同目の白目に相当する区域３に白の色彩が描かれているが、そのように裏面側にのみ描かれた状態を裏面側から見た平面図である。本実施例のように裏面側の白目相当区域のみに白色の色彩を描いても、白目相当区域以外の部分を含む裏面側、例えば裏面全体を白色の色彩で描いてもよい。
図３は、図１及び図２のとおり正面側及び裏面側にキャラクターの顔が描かれた完成品を正面側左斜め下から見た斜視図である。正面側に描かれているキャラクターの顔のうち１ａの目の部分は透視可能な目開口部として残されており、瞳２及び白目は裏面側に描かれている。【００１３】実施例で説明した顔が描かれた板状商品を正面側から見たときの瞳の位置関係を図４により説明する。図４（ａ）は正面側中央から顔を見た場合を示し、目の部分１ａの中央部分に瞳２が見える。図４（ｂ）は正面上から見た場合を示し瞳２は目の部分の上部に位置して見える。図４（ｃ）は正面右から顔を見た場合を示し瞳２は目の部分の右部に位置して見える。同様に正面左から顔を見た場合瞳は目の部分の左に、下から顔を見た場合瞳は目の部分の下に位置して見え、いずれの方向から顔を見ても視線が見ている者に向いているような錯覚を起こす。したがって、視線は見ている者の方向に移動しているような錯覚を起こす面白味がある顔を現わす商品を提供することができる。【００１４】本考案に用いる板状体は透光性であればよく、平面形状は顔の形のみでなく顔の形に体の全部又は一部を加えた形としてもよく、更に、矩形又は円形等適当な平面形状の板に顔を描いてもよい。又、顔はキャラクターの顔のほか、人間の顔でも動物の顔でも想像上の顔でもよいし、目の部分があれば顔の一部でもよい。又、考案の一実施例の説明で用いた具体的な寸法が例示であることは勿論である。【００１５】本考案による顔が描かれた板状商品は、キーホルダーに付けることができたりストラップに付けることができたりすることで、利用価値すなわち商品価値が増加する。
【符号の説明】
【００１６】  Ｐ      平面形状をキャラクターの顔の形とした透明のアクリル製板
１      目の部分を透視可能な目開口部としたキャラクターの顔（顔を描いた塗料）
１ａ    キャラクターの目に相当する目開口部
２      キャラクターの瞳（瞳を描いた塗料）
３      アクリル製板の裏面の白目相当区域
【図１】
0003216743.tif 000003
【図２】
0003216743.tif 000004
【図３】
0003216743.tif 000005
【図４】
0003216743.tif 000006
【図５】
0003216743.tif 000007